(57)【特許請求の範囲】
【請求項１】
柔軟な袋体の開口部内に挿入すべき筒状挿入部と、上部開口にキャップを具備して袋体の開口部の上方に突出すべく前記筒状挿入部の上部に一体に設けたキャップ付注出筒状部とからなる注出筒体を設けると共に、前記注出筒体の筒状挿入部とキャップ付注出筒状部との境界付近に、袋開口部の外側から筒体挿入部に圧着する圧着円弧枠部と、その両側に連なる袋開口部を間に挟んで密封する圧着羽片部とからなる圧着枠体を設けた袋用取付キャップ装置において、筒体挿入部に圧着する圧着円弧枠部、又は、その両側に連なる圧着羽片部に、外側から圧接して挟持するホルダーを設け、圧着枠体を筒体挿入部及びその両側に連なる袋開口部に圧着するように構成したことを特徴とする袋用取付キャップ装置
【請求項２】
請求項１に記載の袋用取付キャップ装置において、筒体挿入部に圧着する圧着円弧枠部と、その両側に連なる圧着羽片部との両者に、外側から圧接して挟持するホルダーを設け、圧着枠部を筒体挿入部及びその両側に連なる袋開口部に圧着するように構成したことを特徴とする袋用取付キャップ装置
【請求項３】
請求項１又は２に記載の袋用取付キャップ装置において、注出筒体の上部開口にキャップを装着した状態で前記ホルダーを圧着枠部に装着自在に構成したことを特徴とする袋用取付キャップ装置
【発明の詳細な説明】
【０００１】
【発明の属する技術分野】
本発明は、柔軟な袋体に収納した内容物を、例えば、袋体の縁部を切り欠いて開口し、内容物の一部を取り出した後、袋体に残された内容物を更に収納して保存し、必要なときに簡単に注出して使用することができるように、柔軟な袋体の開口部に着脱自在に取付けて内容物の保存と取出を可能にした袋用取付キャップ装置に関する。
【０００２】
【従来の技術】
従来、清涼飲料水用、醤油、化粧水、シャンプー等のペットボトルを代表とする比較的硬質なプラスチック容器や、マヨネーズ、ねりわさび、ハンドクリーム、練り歯磨等の押し出しチューブ状容器や、塩、調味料、香辛料等の振り掛け容器等が賞用されてきたが、容器が比較的硬質でかさばり、場所を取り、特に使用後の空き容器が大きな空間を占めるため、廃棄処理等に多大の労力を要する問題があった。
そこで、近年では、使用後に小さく偏平に潰し、折り畳んで廃棄処理することができるように、清涼飲料水、マヨネーズ、香辛料等を柔軟で比較的偏平な袋体に収納して販売するようになった。
しかし、柔軟な袋体は一度開口してしまうと、内容物を収容したまま開口部を塞いで保存し、何度も自在に開口と閉鎖を繰り返して使用することが困難なため、一回で使いきってしまえるように比較的小量の内容物を収納したものが多い。
【０００３】
【発明が解決しようとする課題】
そこで、柔軟な袋体に収納した内容物を、例えば、袋体の縁部を切り欠いて開口し、内容物の一部を取り出した後、袋体に残された内容物を更に収納して保存し、必要なときに簡単に注出して使用することができるように、柔軟な袋体の開口部に着脱自在に取付けて内容物の保存と取出を可能にした袋用取付キャップ装置があれば、内容物を収容したまま開口部を塞いで保存し、何度も開口と閉鎖を繰り返して使用することが簡単にでき、業務用としても柔軟な袋体に比較的大量の内容物を収納して販売することができて便利である。
実用新案公開昭５９ー９６１４５号には、袋体の縁部を切り欠くことなく、対向面に凹溝を有するキャップ取付用注出筒体部をも含めて二分割した一対の挟持部材で袋体の縁部を挟持して密封してから、キャップ取付用注出筒体部の上方に突出した袋体の縁角部を切り欠いて開口部とし、挟持部材の密着しないキャップ取付用注出筒体部に連なる凹溝部分の袋体を通して前記開口部から、内容物を取り出す袋用取付キャップ装置が記載されているが、キャップ取付用注出筒体部を細長く形成するときにはその下の挟持部の幅をそれだけ広大に構成しなければならないからキャップ取付用注出筒体部を長く構成できない課題があり、挟持部材が密着しないとは言え、密着面の間に挟まれた凹溝部分の袋体は相互に密着状態にあるから、凹溝部分の袋体を通して袋体開口部から内容物を円滑に注出することは困難になる課題があり、また、袋体開口部から内容物を円滑に注出するため、凹溝部分の袋体に切り込みを入れるとそこから傷が広がり袋体が破損する等の問題が生じることとなる。
特許出願公開平２ー１２７２５４号には、キャップ取付用注出筒体部の底部に接着面を持つ広縁部を設け、袋体の表面に接着してから、注出筒体部内の袋体表面を切り取って開封し、内容物の取出と保存ができる袋用取付キャップ装置が記載されているが、キャップ取付用注出筒体部を細長く構成すると注出筒体部内の袋体表面を切り取って開封するのが困難になり、注出筒体を注出しやすいように細長い構成にすることができない課題があり、また、袋体の偏平な表面に接着して取り付けるから、筒体開口部が内容物の取出に便利な袋体の縁角部に形成できない課題があり、接着剤が強力で人体無害でなければならない等の接着剤の選択に課題があり、注出筒体部内の袋体表面を切り取って開封するのが面倒であり、接着部が剥がれた時の修復等の対策が困難であり、また、自由に着脱自在に装着して使用できない等の課題がある。
【０００４】
【課題を解決するための手段】
そこで、本発明は、柔軟な袋体の開口部内に挿入すべき筒状挿入部と、上部開口にキャップを具備して袋体の開口部の上方に突出すべく前記筒状挿入部の上部に一体に設けたキャップ付注出筒状部とからなる注出筒体を設けると共に、前記注出筒体の筒状挿入部とキャップ付注出筒状部との境界付近に、袋開口部の外側から筒体挿入部に圧着する圧着円弧枠部と、その両側に連なる袋開口部を間に挟んで密封する圧着羽片部とからなる圧着枠体を設けたことを特徴とする袋用取付キャップ装置を提供しようとするものである。
本発明の袋用取付キャップ装置によれば、上部開口にキャップを具備する注出筒体の筒体挿入部を袋開口部内に挿入し、筒体挿入部の上部に設けた圧着枠体を袋開口部の外側から圧着させると、筒体挿入部の周囲に袋開口部を挟んで圧着円弧枠部が圧着すると共に、筒体挿入部の両側に連なる袋開口部を圧着羽片部が外側から挟んで圧着して密封することとなり、キャップ付注出筒状部の突出長さ、細長さに係わりなく、袋体の内容物は注出筒体により注出自在に外部に連通すると共に、袋体の開口部内に筒状挿入部が存在することによって、キャップを開いて注出筒体から内容物を確実に外部に取り出すことが自在にでき、また、注出筒体の上部開口のキャップを閉じて、柔軟な袋体に内容物を収納したまま保存できることとなる。
【０００５】
また、本発明は、請求項１に記載の袋用取付キャップ装置において、筒体挿入部に圧着する圧着円弧枠部、又は、その両側に連なる袋開口部を挟んで密封する圧着羽片部に、外側から圧接して挟持するホルダーを設け、圧着枠体を筒体挿入部及びその両側に連なる袋開口部に圧着するように構成したことを特徴とする袋用取付キャップ装置を提供するものである。
本発明に係る袋用取付キャップ装置の筒体挿入部に設けた圧着枠体は、筒体挿入部に圧着する圧着円弧枠部と、その両側に連なる袋開口部を挟んで密封する圧着羽片部とからなり、圧着円弧枠部と圧着羽根片部とは筒体挿入部の周囲において同時に袋開口部を挟んで圧着する構成であるから、筒体挿入部に圧着する圧着円弧枠部のみに外側から圧接して挟持するホルダーを設けるだけで、同時に圧着羽根片部を圧接して袋開口部を密封することができると共に、逆に、ホルダーによって圧着羽根片部を圧接して袋開口部を密封するだけで、同時に筒体挿入部に圧着円弧枠部を圧接して筒体挿入部の周囲の袋開口部を密封することができる。
また、本発明は、請求項１に記載の袋用取付キャップ装置において、筒体挿入部に圧着する圧着円弧枠部と、その両側に連なる袋開口部を挟んで密封する圧着羽片部との両者に、外側から圧接して挟持するホルダーを設け、圧着枠体を筒体挿入部及びその両側に連なる袋開口部に圧着するように構成したことを特徴とする袋用取付キャップ装置を提供するものである。
本発明に係る袋用取付キャップ装置の筒体挿入部に設けた圧着枠体の筒体挿入部に圧着する圧着円弧枠部と、その両側に連なる袋開口部を挟んで密封する圧着羽片部との両者に、外側から圧接して挟持するホルダーを設けることにより、筒体挿入部と圧着羽根片部を同時に圧接し、袋体開口部の密封状態を確実に維持することができる。
また、本発明は、請求項２又は３に記載の袋用取付キャップ装置において、注出筒体の上部開口にキャップを装着した状態で前記ホルダーを圧着枠体に装着自在に構成したことを特徴とする袋用取付キャップ装置を提供するものである。
圧着枠体にホルダーを取り付けるときにキャップを装着した状態のまま取り外す必要がないから、注出筒体の上部開口から内容物が漏出する畏れがなく、容易にホルダーを装着することができることとなる。
【０００６】
【発明の実施の形態】
以下図示する実施例により本発明の実施の形態を詳細に説明すると、１は上部開口にキャップ２を具備する注出筒体である。キャップ２を装着すべきネジ部１６は細身に構成してあり、これに装着したキャップ２の外形が注出筒体１の外形より小さく構成してある。この場合、キャップ２の装着手段はネジ機構に限らず、従来公知の種々の嵌着手段等を採用することができることは勿論である。また、キャップをヒンジ開閉式にしたものを採用する等、種々のキャップ装置を用いることができる。
注出筒体１には、袋開口部内に挿入する筒体挿入部３が設けてある。したがって、注出筒体１は、柔軟な袋体の開口部内に挿入すべき筒状挿入部と、上部開口にキャップを具備して袋体の開口部の上方に突出すべく前記筒状挿入部の上部に一体に設けたキャップ付注出筒状部１７とからなる。前記注出筒体１の筒状挿入部３とキャップ付注出筒状部１７との境界付近には、袋開口部の外側から筒体挿入部３に圧着する圧着円弧枠部４と、その両側に連なる袋開口部を挟んで密封する圧着羽片部５とからなる圧着枠体６を設けてある。
【０００７】
圧着枠体６は、筒体挿入部３を中心に表裏対称の形状を有する圧着円弧枠部４と圧着羽片部５とからなり、表裏の圧着円弧枠部４が筒体挿入部３の外周を袋開口部を間に完全に覆うとき、表裏の圧着羽片部５が袋開口部を間に完全に圧着するように構成してある。図示の実施例の場合、圧着枠体６は、圧着円弧枠部４の上端部が筒体挿入部３の上部にヒンジ連結部７によって開閉自在に連結しており、図６及び図７に示す開き位置で筒体挿入部３を袋開口部内に挿入することができ、図８及び図９に示す閉じ位置で圧着円弧枠部４が袋開口部を間に筒体挿入部３の周囲に密着し、同時に表裏の圧着羽片部５が密着して袋開口部を封鎖することができるように構成してある。圧着円弧部４及び圧着羽片部５の長さと幅は、袋開口部の密封に充分な大きさに構成してある。また、袋開口部を間に挟んで密着する圧着羽片部５の密着面には、互いに袋開口部を間に挟んで嵌合する嵌合凹凸部を設けることも可能である。
【０００８】
プラスチックの一体成形等により圧着枠体６に弾力性を持たせて構成し、開き位置から閉じ位置に移行するとき、圧着羽片部５の先端部から基端部に向かって弾性的に圧着していき、圧着羽片部５と圧着円弧部４の接続部８が相互に圧着するとき、圧着枠体６の全体が圧着して閉鎖が完了する構成にすることができ、この場合、圧着枠体６の圧着円弧部４と圧着羽片部５との接続部８が相互に圧着する圧着力を付与すれば、圧着枠体６は弾性的に閉鎖状態になる。従って、圧着枠体６を密封状態にするには、圧着円弧部４と圧着羽片部５との接続部８にのみ相互に圧着する圧着力を付与するホルダーを設けること、又は、圧着円弧部４と圧着羽片部５との何れか一方にのみ圧着力を付与するホルダー、又は前記接続部８を含んで圧着円弧部４と圧着羽片部５との何れにも圧着するホルダーを設けることにより、圧着枠体６を閉鎖状態にすることができる。ホルダーとしては、市販されている洗濯バサミやクリップの構造をそのまま使用することも可能である。
【０００９】
図示の実施例の場合、圧着枠体６の左右の圧着羽片部５は圧着円弧部４を中心にほぼ平行な平面を成し、閉じ位置で表裏の圧着羽片部５は全面が同時に圧着する構成にしてある。また、注出筒体１はキャップ２より外径を大きく構成してあり、圧着円弧部４の外周に圧着するホルダーがキャップ２の外周を通って被冠できるように構成してある。また、注出筒体１の筒体挿入部３の下部は段部９を介して細身に構成してあり、袋開口部への筒体挿入部３の挿入を容易にするのみならず、圧着円弧部４の下端部に円弧状に設けた嵌着枠部１０が袋開口部を挟んで段部９に密着して嵌合し、袋開口部への注出筒体１の抜け防止用の固定と袋開口部の密封とが同時にできるように構成してある。
【００１０】
図示の実施例において、ホルダー１１は、閉じ位置で、筒体挿入部３の周囲に密着する圧着円弧枠部４と、同時にその両側の袋開口部に密着して封鎖する圧着羽片部５とに嵌着して圧着枠体６の閉じ状態を維持することができる構成にしてある。１２はホルダー１１の注出筒体嵌着部で、筒状をなし、注出筒体１の外周部に嵌着するように構成してある。ホルダー１１の注出筒体嵌着部１２の下側は、二股状に別れて、閉じ状態の圧着円弧部４の外周に嵌合する円弧状押さえ部１３とその両側で閉じ状態の圧着羽片部５に嵌合する羽片押さえ部１４とからなる。そして、図４、図５、図１０及び図１１に示すように、圧着枠体６を閉じ状態にした注出筒体１にキャップ２の上方からホルダー１１を挿入すると、注出筒体１の上部に注出筒体嵌着部１２が嵌着すると同時に、円弧状押さえ部１３が圧着円弧部４に弾性的に嵌着すると共に、羽片押さえ部１４が圧着羽片部５に弾性的に嵌着して、圧着枠体６の閉じ状態を強固に維持することとなる。
実施例の場合、ホルダー１１の円弧状押さえ部１３は円滑に装着できるように下方がやや広く構成してあると共に、円弧押さえ部１３から羽押さえ片部１４にかけては圧着羽片部５が入り易いようにガイド枠部１５が設けてある。
【００１１】
上記の構成からなる実施例の使用態様を図６〜図１１に基づいて説明すると、図６又は図７に示すように、柔軟で偏平な袋体２０の切取片２１を切り取り、切取線２２に沿ってできた袋開口部２３内に、圧着枠体６を開いた状態で注出筒体１の筒体挿入部３をヒンジ連結部７の近くまで深く挿入し、図８又は図９に記載のように、切取線２２を内側に含んで圧着枠体６を閉じると、筒体挿入部３の周囲に圧着円弧部４が、筒体挿入部３の両側の袋開口部２３に圧着羽片部５がそれぞれ圧着して密封する。図示の如く、予め注出筒体１にキャップ２を装着しておけば、前記圧着枠体６を閉じた状態で袋体２０の袋開口部２３は封鎖されて、袋体２０内に内容物は収容されて維持される。
次いで、注出筒体１にキャップ２の上方からホルダー１１を挿入すると、注出筒体１の上部に注出筒体嵌着部１２が嵌着すると同時に、円弧状押さえ部１３が圧着円弧部４に弾性的に嵌着し、羽片押さえ部１４が圧着羽片部５に弾性的に嵌着して、図１０又は図１１に示すように、圧着枠体６の閉じ状態を強固に維持することとなり、キャップ２を取り外せば、随時内容物を注出筒体１から取り出すことができ、キャップ２を装着することにより、内容物を収納した柔軟な袋体を横にしておくことも、支持枠等により起立させておくことができる。
【００１２】
【効果】
以上の通り、本発明に係る袋用取付キャップ装置によれば、柔軟な袋体の開口部内に挿入すべき筒状挿入部と、上部開口にキャップを具備して袋体の開口部の上方に突出すべく前記筒状挿入部の上部に一体に設けたキャップ付注出筒状部とからなる注出筒体を設けると共に、前記注出筒体の筒状挿入部とキャップ付注出筒状部との境界付近に、袋開口部の外側から筒体挿入部に圧着する圧着円弧枠部と、その両側に連なる袋開口部を間に挟んで密封する圧着羽片部とからなる圧着枠体を設けた構成を有することにより、上部開口にキャップを具備する注出筒体の筒体挿入部を袋開口部内に挿入し、筒状挿入部と、上部開口にキャップを具備して袋体の開口部の上方に突出すべく前記筒状挿入部の上部に一体に設けたキャップ付注出筒状部との境界付近に設けた圧着枠体を、袋開口部の外側から圧着させることにより、筒体挿入部の周囲に袋開口部を圧着円弧枠部で圧着すると共に、筒体挿入部の両側に連なる袋開口部を圧着羽片部で外側から挟んで圧着して、袋開口部は注出筒体の周囲において密封されることとなり、袋体の切欠開口部は注出筒体の周囲で確実に密閉され、且つ、キャップ付注出筒状部の突出長さ、細長さ等の形状に係わりなく、袋体の内容物は注出筒体により注出自在に外部に連通すると共に、袋体の開口部内に筒状挿入部が存在することによって、キャップを開いて注出筒体から内容物を確実に外部に取り出すことが自在にでき、また、注出筒体の上部開口のキャップを閉じておくだけで、柔軟な袋体に内容物を収納したまま保存できる効果があり、何度も開口と閉鎖を繰り返して使用することが簡単にできるから、従来のペットボトルを代表とする比較的硬質なプラスチック容器や、マヨネーズ等の押し出しチューブ状容器や、塩、香辛料等の振り掛け容器等が比較的硬質でかさばり、場所を取り、特に使用後の空き容器が大きな空間を占めるため、廃棄処理等に多大の労力を要するのに対して、使用後に柔軟な袋体を小さく偏平に潰し、折り畳んで廃棄処理することができる柔軟な袋体に比較的大量の内容物を収納して業務用としても販売することができる等の効果がある。
また、本発明は、請求項１に記載の袋用取付キャップ装置において、筒体挿入部に圧着する圧着円弧枠部、又は、その両側に連なる袋開口部を挟んで密封する圧着羽片部に、外側から圧接して挟持するホルダーを設け、圧着枠体を筒体挿入部及びその両側に連なる袋開口部に圧着する構成を有することにより、圧着円弧枠部又は圧着羽片部をホルダーで挟持するだけで圧着枠体の閉じ状態を強固に維持することができる効果がある。
また、本発明は、請求項１に記載の袋用取付キャップ装置において、筒体挿入部に圧着する圧着円弧枠部と、その両側に連なる袋開口部を挟んで密封する圧着羽片部との両者に、外側から圧接して挟持するホルダーを設け、圧着枠体を筒体挿入部及びその両側に連なる袋開口部に圧着する構成を有することにより、圧着円弧枠部と圧着羽片部をホルダーで同時に挟持することにより、圧着枠体の閉じ状態を確実に維持する効果がある。
また、本発明は、請求項２又は３に記載の袋用取付キャップ装置において、注出筒体の上部開口にキャップを装着した状態で前記ホルダーを圧着枠体に装着自在に構成したことにより、圧着枠体にホルダーを取り付けるときに、キャップを装着した状態のまま取り外す必要がないから、注出筒体の上部開口から内容物が漏出する畏れがなく、容易にホルダーを装着することができる効果がある。
【図面の簡単な説明】
【図１】    本発明装置の一実施例の一使用態様の一部を縦断して示す分解正面図。
【図２】    図１の実施例の要部の他の使用態様の一部を縦断して示す分解側面図。
【図３】    図１の実施例の一使用態様の底面図。
【図４】    図１の実施例の他の一使用態様の一部を縦断して示す分解正面図。
【図５】    図４の実施例の使用態様の底面図。
【図６】    本発明装置の一実施例の一使用態様を示す正面図。
【図７】    図６の実施例の使用態様を示す側面図。
【図８】    本発明装置の一実施例の他の使用態様を示す側面図。
【図９】    図８の実施例の使用態様を示す正面図。
【図１０】  本発明装置の一実施例の他の使用態様を示す正面図。
【図１１】  図１０の実施例の使用態様を示す側面図。
【符号の説明】
１・・・・注出筒体
２・・・・キャップ
３・・・・筒体挿入部
４・・・・圧着円弧枠部
５・・・・圧着羽片部
６・・・・圧着枠体
７・・・・ヒンジ連結部
８・・・・接続部
９・・・・段部
１０・・・嵌着枠部
１１・・・ホルダー
１２・・・注出筒体嵌着部
１３・・・円弧押さえ部
１４・・・羽片押さえ部
１５・・・ガイド枠部
１６・・・ネジ部
１７・・・キャップ付注出筒状部
２０・・・袋体
２１・・・切取片
２２・・・切取線
２３・・・袋開口部
【図１】
0003913861.tif 000002
【図２】
0003913861.tif 000003
【図３】
0003913861.tif 000004
【図４】
0003913861.tif 000005
【図５】
0003913861.tif 000006
【図６】
0003913861.tif 000007
【図７】
0003913861.tif 000008
【図８】
0003913861.tif 000009
【図９】
0003913861.tif 000010
【図１０】
0003913861.tif 000011
【図１１】
0003913861.tif 000012